(57)【要約】      （修正有）【課題】平時は装飾用として使用し、清掃する際、工具を容易に取り出して清掃作業を行うことができる、軽量で使い易い清掃機能を有する装飾品を提供する。【解決手段】清掃機能を有する装飾品は、中空状の外カバーに収納可能な清掃ユニット４０を含む。外カバーは、互いに組み合わせると清掃ユニット４０が収納可能な内部空間を形成する上カバー２０及びベース３０を含む。ベース３０は互いに間隔をあけて設けられた２つのアーム３６を有する。清掃ユニット４０は、円筒４２及び軸を含む。円筒４２は、表面が粘着性を有して軸に外嵌され、軸をアーム３６間に接続させ、ベース３０に対して回動する円筒４２を支持する。軸は、円筒４２が外嵌される直管と、直管の管口に挿入される凸部が突設された一面と、ベース３０のアーム３６に枢着させる挿入部が形成された他面とを有する皿体をそれぞれ有する２つの支持部材とを有する。【選択図】図２
0003188512.tif 000002
【実用新案登録請求の範囲】
【請求項１】
中空状の外カバーに収納可能な清掃ユニットを含む、清掃機能を有する装飾品であって、
前記外カバーは、互いに組み合わせると前記清掃ユニットが収納可能な内部空間を形成する上カバー及びベースを含み、前記ベースは互いに間隔をあけて設けられた２つのアームを有し、
前記清掃ユニットは、円筒及び軸を含み、前記円筒は、表面が粘着性を有して前記軸に外嵌され、前記軸を前記アーム間に接続させ、前記ベースに対して回動する前記円筒を支持することを特徴とする清掃機能を有する装飾品。
【請求項２】
前記軸は、
前記円筒が外嵌される直管と、
前記直管の前記管口に挿入される凸部が突設された一面と、前記ベースの前記アームに枢着させる挿入部が形成された他面と、を有する皿体をそれぞれ有する２つの支持部材と、を有することを特徴とする請求項１に記載の清掃機能を有する装飾品。
【請求項３】
前記アームは、前記皿体の挿入部を嵌着させる枢着孔をそれぞれ有することを特徴とする請求項１に記載の清掃機能を有する装飾品。
【請求項４】
前記上カバーには、２つのバンプが突設され、前記上カバーと前記ベースとを組み合わせると、前記アームの前記枢着孔に前記バンプが係合されることを特徴とする請求項３に記載の清掃機能を有する装飾品。
【請求項５】
前記上カバーの外表面には、紐を挿通させるリング部が形成されていることを特徴とする請求項１〜４の何れか１項に記載の清掃機能を有する装飾品。
【請求項６】
前記上カバーの開口には、前記ベースの開口に形成された凹部と凹凸係合する凸縁が周設されていることを特徴とする請求項５に記載の清掃機能を有する装飾品。
【請求項７】
前記上カバー及び前記ベースの開口には、前記上カバーと前記ベースとを磁気吸着させる少なくとも１つの磁性体がそれぞれ設けられていることを特徴とする請求項５に記載の清掃機能を有する装飾品。
【考案の詳細な説明】
【技術分野】
【０００１】
本考案は、装飾品に関し、特に、装飾機能以外に清掃機能を有する装飾品に関する。
【背景技術】
【０００２】
従来の装飾品は、装飾機能しかなく、ネックレス、指輪など首又は指につけて使用したり、髪につけて使用したりするヘアクリップ、頭飾品などでもよい。
【０００３】
これらの装飾品を身に付けている者は、衣服、ズボンに埃、毛髪などが付いて汚れても、清掃用具が無い場合、一般に衣服についた汚れを手で叩いて落とすが、その場合手が汚れてしまい衛生面で問題があった。
【０００４】
また、装飾品を身に付けている者は、コンピュータ、携帯電話などの消費者用電子機器を操作したり通話したりするが、埃などの細かい粒子が静電気によりスクリーンの表面に付着したり、指でスクリーンに触れることにより指紋又は油汚れがついて画面が見づらくなることがあった。
【０００５】
衛生面での必要性又は画面を好ましい状態で見られるように、清掃用ツールにより適宜清掃することが好ましかったが、工具が無い場合、好ましい清掃効果を得ることはできなかった。
【０００６】
そのため、従来技術の欠点を改善し、装飾品を身に付けている者が何時でも使用できる清掃用ツールが求められていた。
【考案の概要】
【考案が解決しようとする課題】
【０００７】
本考案は、清掃用ツールを内部に収納可能な構造を有し、平時は装飾用として使用し、清掃する際、工具を容易に取り出して清掃作業を行うことができる、軽量で使い易い清掃機能を有する装飾品を提供することにある。
【課題を解決するための手段】
【０００８】
上記課題を解決するために、本考案の第１の形態によれば、中空状の外カバーに収納可能な清掃ユニットを含む、清掃機能を有する装飾品であって、前記外カバーは、互いに組み合わせると前記清掃ユニットが収納可能な内部空間を形成する上カバー及びベースを含み、前記ベースは互いに間隔をあけて設けられた２つのアームを有し、前記清掃ユニットは、円筒及び軸を含み、前記円筒は、表面が粘着性を有して前記軸に外嵌され、前記軸を前記アーム間に接続させ、前記ベースに対して回動する前記円筒を支持することを特徴とする清掃機能を有する装飾品が提供される。
【０００９】
前記軸は、前記円筒が外嵌される直管と、前記直管の前記管口に挿入される凸部が突設された一面と、前記ベースの前記アームに枢着させる挿入部が形成された他面と、を有する皿体をそれぞれ有する２つの支持部材と、を有することが好ましい。
【００１０】
前記アームは、前記皿体の挿入部を嵌着させる枢着孔をそれぞれ有することが好ましい。
【００１１】
前記上カバーには、２つのバンプが突設され、前記上カバーと前記ベースとを組み合わせると、前記アームの前記枢着孔に前記バンプが係合されることが好ましい。
【００１２】
前記上カバーの外表面には、紐を挿通させるリング部が形成されていることが好ましい。
【００１３】
前記上カバーの開口には、前記ベースの開口に形成された凹部と凹凸係合する凸縁が周設されていることが好ましい。
【００１４】
前記上カバー及び前記ベースの開口には、前記上カバーと前記ベースとを磁気吸着させる少なくとも１つの磁性体がそれぞれ設けられていることが好ましい。
【考案の効果】
【００１５】
本考案の清掃機能を有する装飾品は、清掃用ツールを内部に収納可能な構造を有し、平時は装飾用として使用し、清掃する際、工具を容易に取り出して清掃作業を行うことができる上、軽量で使い易い。
【図面の簡単な説明】
【００１６】
【図１】図１は、本考案の第１実施形態に係る清掃機能を有する装飾品を示す斜視図である。
【図２】図２は、本考案の第１実施形態に係る清掃機能を有する装飾品を示す分解斜視図である。
【図３】図３は、ベースを示す分解斜視図である。
【図４】図４は、装飾品を示す断面図である。
【図５】図５は、本考案の第２実施形態に係る清掃機能を有する装飾品を示す断面図である。
【考案を実施するための形態】
【００１７】
以下、本考案の清掃機能を有する装飾品について、図面を参照しながら説明する。
【００１８】
（第１実施形態）
図１を参照する。図１に示すように、本考案の第１実施形態に係る清掃機能を有する装飾品１０は、分離自在の外カバー１２を含み、外カバー１２には、リング部１４が形成されている。リング部１４には、首部に掛けて用いる紐１６が挿通されてネックレスとして用いることができる。
【００１９】
外カバー１２は、互いに着脱自在である上カバー２０及びベース３０を含む。本考案の第１実施形態の外カバー１２は、組み合わせるとハート型の形状となるが、勿論、これだけに限定されるわけではなく、例えば、多辺形、円形、不規則形状又はその他幾何学的形状でもよい。また、前述のリング部１４は、上カバー２０の外表面に形成されてもよい。
【００２０】
続いて図２を参照する。図２に示すように、上カバー２０とベース３０とを分離させると、略矩形状を呈する開口２２，３２を介して外部に連通する内部空間が見える。上カバー２０には、開口２２から突出された凸縁２４が周設され、複数の補強リブ２６を有する。これら複数の補強リブ２６は、上カバー２０の構造強度を高めるために、２つ１組で上カバー２０の内壁面に形成されて凸縁２４から一部が突出されている。１組の補強リブ２６は、開口２２の短辺に形成され、互いに対向したバンプ２８が突設されている。
【００２１】
ベース３０の開口３２の周りには、凹部３４が凹設されている。ベース３０は、２つのアーム３６を有する。これら２つのアーム３６は、ベース３０の内壁面に、互いに所定の間隔をあけて形成され、各アーム３６が開口３２の短辺に隣接し、開口３２から突出するように枢着孔３８が形成されている。２つのアーム３６間には、清掃ユニット４０が回動自在に接続されている。
【００２２】
図３を参照する。図３に示すように、清掃ユニット４０は、円筒４２と、２つのアーム３６間に接続される軸４４とを含む。円筒４２は、軟らかい材料からなり、表面が粘着性を有するとともに、軸４４に外嵌されている。
【００２３】
図３及び図４を参照する。図３及び図４に示すように、軸４４は、直管４６及び２つの支持部材５０を含む。円筒４２より硬い材料からなる直管４６を、円筒４２の中心に挿通させて支持し、円筒４２の構造が柔らかくなり過ぎないようにする。各支持部材５０は、皿体５２を有する。皿体５２の一面には、直管４６の管口に挿入される凸部５４が突設されている。皿体５２の他面には、ベース３０の２つのアーム３６に形成された枢着孔３８中に枢着させる挿入部５６が形成されている。挿入部５６を軸心としてベース３０に対して回動する円筒４２を軸４４により支持する。
【００２４】
そのため、装飾品１０を身に付ける場合、図１に示すように、平時はネックレスの装飾品として用い、清掃で用いる場合、ベース３０を取り外して図２のような状態とし、清掃ユニット４０を衣類又はスクリーン表面に接触させながら回動させるため、清掃作業が容易に行える上、軽量で使い易い。円筒４２に粘着した埃、髪の毛などの汚れは、水などの液体により円筒４２を洗い流すことができるため、円筒４２を再利用することができる。
【００２５】
清掃ユニット４０を収納する場合は、図４に示すように、ベース３０を上カバー２０下に組合せ、清掃ユニット４０が収納可能な空間を外カバー１２に形成する。上カバー２０の凸縁２４とベース３０の凹部３４とが凹凸係合されると、アーム３６の枢着孔３８にバンプ２８が係合されるため、外カバー１２が不用意に開くことを防ぐことができる。
【００２６】
（第２実施形態）
図５を参照する。図５は、本考案の第２実施形態に係る清掃機能を有する装飾品を示す断面図である。図５に示すように、本考案の第２実施形態に係る清掃機能を有する装飾品１０は、第１実施形態と略同じであるが、上カバー２０及びベース３０の開口２２，３２に少なくとも１つの磁性体６０が設けられ、上カバー２０とベース３０とを磁気吸着させる点が異なる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  装飾品
１２  外カバー
１４  リング部
１６  紐
２０  上カバー
２２  開口
２４  凸縁
２６  補強リブ
２８  バンプ
３０  ベース
３２  開口
３４  凹部
３６  アーム
３８  枢着孔
４０  清掃ユニット
４２  円筒
４４  軸
４６  直管
５０  支持部材
５２  皿体
５４  凸部
５６  挿入部
６０  磁性体
【図１】
0003188512.tif 000003
【図２】
0003188512.tif 000004
【図３】
0003188512.tif 000005
【図４】
0003188512.tif 000006
【図５】
0003188512.tif 000007